(57)【要約】【課題】簡易な構造でありながら、側溝ブロックとの際にできた窪みに溜まる雨水等のみならず、路面上を流れてくる雨水等を、側溝ブロック内に排水することができる排水具を提供する。【解決手段】排水具２は、雨水等を側溝ブロック１内に導くために、側溝ブロック１の側壁１ａの上端部に設けられる。この排水具２は、排水具本体３と、雨水等は通過するが小石等の固形物の通過を防止する第１フィルターＦ１とを有する。ここで、排水具本体３は、表面が互いに間隔を空けて対向する対向片３ａ、３ａと、それら対向片３ａ、３ａを連結する連結部３ｂとを備える。そして、対向片３ａ、３ａ間に、側壁１ａの外面１ｅ側と内面１ｆ側と上面１ｇ側とが互いに連通する第１導水路Ｅ１を形成するための、第１フィルターＦ１が挿入されている。【選択図】  図２
2004156423.tif 000002
【特許請求の範囲】
【請求項１】
側溝ブロックの側壁の上端部に設けられて、雨水等を前記側溝ブロック内に導くための排水具であって、
排水具本体を有し、
前記排水具本体は、表面が互いに間隔を空けて対向する対向片を備え、
前記対向片間を通るように、前記側壁の外面側と内面側と上面側とが互いに連通する第１導水路が設けられることを特徴とする排水具。
【請求項２】
前記排水具は、雨水等は通過するが小石等の固形物の通過を防止する吸出し防止材を有し、
前記対向片間に、前記第１導水路を形成するための、前記吸出し防止材としての第１フィルターが挿入されていることを特徴とする請求項１に記載の排水具。
【請求項３】
前記排水具本体は、前記対向片を連結する連結部を備えることを特徴とする請求項１または２に記載の排水具。
【請求項４】
前記排水具本体は、前記対向片を連結する連結部を備え、
前記連結部は、前記対向片の、上下方向における中間部分に設けられて、その連結部の上方に前記第１フィルターが挿入され、そして、前記連結部の下方に、前記対向片に挟まれた空間が形成されていることを特徴とする請求項２に記載の排水具。
【請求項５】
前記対向片には、前記第１導水路の下方に、表裏を貫通する通孔が形成されていることを特徴とする請求項１ないし４のいずれか１項に記載の排水具。
【請求項６】
前記排水具本体は、前記対向片の上端から互いに離れる方向に延設されて、前記側壁の上面とほぼ面一となる上部片を備えることを特徴とする請求項１ないし５のいずれか１項に記載の排水具。
【請求項７】
前記排水具本体は、前記対向片の上端から互いに離れる方向に延設されて、前記側壁の上面とほぼ面一となる上部片と、それら上部片の先端から下方に延設される垂下片とを備えることを特徴とする請求項１ないし５のいずれか１項に記載の排水具。
【請求項８】
前記垂下片に隣接して、前記側壁の外面側と内面側と上面側とが互いに連通する第２導水路が設けられることを特徴とする請求項７に記載の排水具。
【請求項９】
前記垂下片には、前記第２導水路を形成するための、前記吸出し防止材としての第２フィルターが設けられていることを特徴とする請求項８に記載の排水具。
【請求項１０】
請求項１ないし９のいずれか１項に記載の排水具が、前記側壁の上端部に埋め込まれてなる、排水具を備える側溝ブロック。
【請求項１１】
前記第１導水路の下面は、前記側壁の外面側から内面側に向かうに連れて下方に進む傾斜面となっていることを特徴とする請求項１０に記載の、排水具を備える側溝ブロック。
【請求項１２】
前記側壁は、側溝蓋あるいはグレーチング等の覆い材が載せられる蓋掛かり段部と、その蓋掛かり段部から起立する起立壁とを備え、
前記排水具は、前記起立壁部分に設けられることを特徴とする請求項１０または１１に記載の、排水具を備える側溝ブロック。
【請求項１３】
前記蓋掛かり段部には、前記第１導水路と対応する位置に、その蓋掛かり段部を横切るようにして排水溝が設けられていることを特徴とする請求項１２に記載の、排水具を備える側溝ブロック。
【請求項１４】
前記排水溝の下面は、前記起立壁側からその反対側に向かうに連れて下方に進む傾斜面となっていることを特徴とする請求項１３に記載の、排水具を備える側溝ブロック。
【発明の詳細な説明】
【０００１】
【発明の属する技術分野】
この発明は、雨水等を側溝ブロック内に導くための排水具およびその排水具を備える側溝ブロックに関するものである。
【０００２】
【従来の技術】
従来、側溝ブロックとの際に溜まった雨水を、その側溝ブロック内に排水するための排水具は、側溝ブロックの側壁に形成された、その外面から内面に連通する孔部または切欠部に装着されていた（例えば、特許文献１参照）。この排水具は、板状基壁を備え、この板状基壁の表裏面間には、地中水または側溝ブロック側壁に接する地表水を側溝ブロック内へと導水するための、導入孔（以下、接水導入孔と称する。）が設けられており、また、前記板状基壁の上部から延出される延設壁あるいは前記板状基壁の上側面には、地表水を側溝ブロック内へと導水するための、地表水導入孔が設けられていた。そして、道路の陥没等によって生じた、側溝ブロックに接する段差部分等の窪みに溜まった雨水等を、前記接水導入孔から、側溝ブロック内に導水していた。
【０００３】
【特許文献１】
特開平１１−２６９９６９号公報
【０００４】
【発明が解決しようとする課題】
ところが、前記従来の排水具においては、地表水導入孔と、接水導入孔とを、それぞれ異なる方向に、すなわち、地表水導入孔を上方に、また、接水導入孔を側方に、それぞれ開口させるため、地表水導入孔と接水導入孔とが、異なる方向に開口するように排水具を構成する必要があり、その構造が複雑となった。
【０００５】
この発明は、上記した従来の問題点を解決するためになされたものであり、その目的とするところは、簡易な構造でありながら、側溝ブロックとの際にできた窪みに溜まる雨水等のみならず、路面上を流れてくる雨水等を、側溝ブロック内に排水することができる排水具およびその排水具を備える側溝ブロックを提供することにある。
【０００６】
【課題を解決するための手段】
この発明に係る排水具およびその排水具を備える側溝ブロックは、前記目的を達成するために、次の構成からなる。すなわち、
請求項１に記載の発明に係る排水具は、側溝ブロックの側壁の上端部に設けられて、雨水等を前記側溝ブロック内に導くための排水具であって、排水具本体を有する。ここで、前記排水具本体は、表面が互いに間隔を空けて対向する対向片を備える。そして、前記対向片間を通るように、前記側壁の外面側と内面側と上面側とが互いに連通する第１導水路が設けられる。
【０００７】
こうして、対向片間を通るように、第１導水路が設けられる。この第１導水路は、側溝ブロックにおける側壁の外面側と内面側と上面側とが互いに連通した導水路であり、この第１導水路によって、側壁の外面側の雨水等とか、側壁の上面側の雨水等が、側溝ブロック内に導かれる。
【０００８】
また、請求項２に記載の発明に係る排水具のように、請求項１に記載の排水具において、雨水等は通過するが小石等の固形物の通過を防止する吸出し防止材を有し、前記対向片間に、前記第１導水路を形成するための、前記吸出し防止材としての第１フィルターが挿入されていてもよい。このように、第１導水路は、対向片間に挿入された第１フィルターとなる吸出し防止材によって形成されており、側壁の外面側の道路舗装材とか路面上の小石等の固形物が、側壁の外面側とか上面側から第１導水路内に進入したり、その第１導水路を通って側溝ブロック内に落下したりすることがない。
【０００９】
また、請求項３に記載の発明に係る排水具のように、請求項１または２に記載の排水具において、前記排水具本体は、前記対向片を連結する連結部を備えてもよい。これによれば、表面が互いに間隔を空けて対向する対向片が、連結部によって連結されるので、これら対向片が一体化され、この排水具の取り扱いが容易となる。
【００１０】
また、請求項４に記載の発明に係る排水具のように、請求項２に記載の排水具において、前記排水具本体は、前記対向片を連結する連結部を備え、前記連結部は、前記対向片の、上下方向における中間部分に設けられて、その連結部の上方に前記第１フィルターが挿入され、そして、前記連結部の下方に、前記対向片に挟まれた空間が形成されてもよい。これにより、表面が互いに間隔を空けて対向する対向片が、連結部によって連結されるので、これら対向片が一体化され、この排水具の取り扱いが容易となる。そして、例えば、側溝ブロックがコンクリート製であって、そのコンクリート打設の際に、排水具を埋め込むような場合には、連結部の下方に形成された空間に、型枠側に設けた押え部品を挿入するとともにその押え部品が連結部を押えるようにすれば、この排水具の位置ずれが防止される。
【００１１】
また、請求項５に記載の発明に係る排水具のように、請求項１ないし４のいずれか１項に記載の排水具において、前記対向片には、前記第１導水路の下方に、表裏を貫通する通孔が形成されてもよい。これにより、例えば、側溝ブロックがコンクリート製であって、そのコンクリート打設の際に、排水具を埋め込むような場合には、打設されたコンクリートが、通孔を通って対向片間に進入することができる。
【００１２】
また、請求項６に記載の発明に係る排水具のように、請求項１ないし５のいずれか１項に記載の排水具において、前記排水具本体は、前記対向片の上端から互いに離れる方向に延設されて、前記側壁の上面とほぼ面一となる上部片を備えてもよい。これによれば、上部片によって、側溝ブロックが補強される。
【００１３】
また、請求項７に記載の発明に係る排水具のように、請求項１ないし５のいずれか１項に記載の排水具において、前記排水具本体は、前記対向片の上端から互いに離れる方向に延設されて、前記側壁の上面とほぼ面一となる上部片と、それら上部片の先端から下方に延設される垂下片とを備えてもよい。これによれば、これら上部片と垂下片によって、側溝ブロックが補強され、また、排水具を側溝ブロックに確実に固定することが可能となる。
【００１４】
また、請求項８に記載の発明に係る排水具のように、請求項７に記載の排水具において、前記垂下片に隣接して、前記側壁の外面側と内面側と上面側とが互いに連通する第２導水路が設けられてもよい。こうして、垂下片に隣接して、第２導水路が設けられる。この第２導水路は、第１導水路と同様に、側溝ブロックにおける側壁の外面側と内面側と上面側とが互いに連通した導水路であり、この第２導水路によって、側壁の外面側の雨水等とか、側壁の上面側の雨水等が、側溝ブロック内に導かれる。
【００１５】
また、請求項９に記載の発明に係る排水具のように、請求項８に記載の排水具において、前記垂下片には、前記第２導水路を形成するための、前記吸出し防止材としての第２フィルターが設けられてもよい。このように、第２導水路は、垂下片に設けられた第２フィルターとなる吸出し防止材によって形成されており、側壁の外面側の道路舗装材とか路面上の小石等の固形物が、側壁の外面側とか上面側から第２導水路内に進入したり、その第２導水路を通って側溝ブロック内に落下したりすることがない。
【００１６】
また、請求項１０に記載の発明に係る排水具を備える側溝ブロックは、請求項１ないし９のいずれか１項に記載の排水具が、前記側壁の上端部に埋め込まれてなる。
【００１７】
また、請求項１１に記載の発明に係る排水具を備える側溝ブロックのように、請求項１０に記載の側溝ブロックにおいて、前記第１導水路の下面は、前記側壁の外面側から内面側に向かうに連れて下方に進む傾斜面となっているのが望ましい。これにより、側壁の外面側の雨水等とか、側壁の上面側の雨水等が、第１導水路に進入すると、その雨水等は、傾斜面となる下面に沿うように下って、スムーズに側溝ブロック内に導かれる。
【００１８】
また、請求項１２に記載の発明に係る排水具を備える側溝ブロックのように、請求項１０または１１に記載の側溝ブロックのように、前記側壁は、側溝蓋あるいはグレーチング等の覆い材が載せられる蓋掛かり段部と、その蓋掛かり段部から起立する起立壁とを備え、前記排水具は、前記起立壁部分に設けられてもよい。このように、排水具が、側溝ブロックの蓋掛かり段部の横の起立壁部分に設けられることから、この排水具を介して、側壁の外面側の雨水等とか、側壁の上面側の雨水等が、容易に側溝ブロック内に導かれる。なお、この蓋掛かり段部および起立壁は、Ｕ字側溝ブロックに設けられるものは勿論、可変側溝ブロックとか暗渠型側溝ブロックに設けられるものであってもよい。
【００１９】
また、請求項１３に記載の発明に係る排水具を備える側溝ブロックのように、請求項１２に記載の側溝ブロックにおいて、前記蓋掛かり段部には、前記第１導水路と対応する位置に、その蓋掛かり段部を横切るようにして排水溝が設けられるのが望ましい。これにより、第１導水路に進入した雨水等が、蓋掛かり段部に載せられる覆い材に遮られることなく、排水溝を通って側溝ブロック内に導かれる。
【００２０】
また、請求項１４に記載の発明に係る排水具を備える側溝ブロックのように、請求項１３に記載の側溝ブロックにおいて、前記排水溝の下面は、前記起立壁側からその反対側に向かうに連れて下方に進む傾斜面となっているのが望ましい。これにより、排水溝に進入した雨水等は、傾斜面となる下面に沿うように下って、スムーズに側溝ブロック内に導かれる。
【００２１】
【発明の実施の形態】
以下、この発明に係る排水具およびその排水具を備える側溝ブロックの実施の形態を図面に基づいて説明する。
【００２２】
図１ないし図７は、本発明に係る排水具およびその排水具を備える側溝ブロックの一実施の形態を示す。図中符号１は、側溝ブロックである。２は、排水具であって、雨水等を前記側溝ブロック１内に導くために、側溝ブロック１の側壁１ａの上端部に設けられる（詳細には、側壁１ａの上端部に埋め込まれる）。
【００２３】
側溝ブロック１は、図１に示すように、例えば、コンクリート製のＵ字側溝ブロックからなり、その側壁１ａは、側溝蓋あるいはグレーチング等の覆い材Ｗが載せられる蓋掛かり段部１ｂ、１ｂと、それら蓋掛かり段部１ｂ、１ｂから起立する起立壁１ｃ、１ｃとを備える。そして、この起立壁１ｃ部分（図示実施の形態においては、起立壁１ｃからその起立壁１ｃの下部にかけての部位）に、排水具２が設けられる。また、蓋掛かり段部１ｂには、後述する第１導水路Ｅ１と対応する位置、および、第２導水路Ｅ２と対応する位置に、その蓋掛かり段部１ｂを横切るようにして排水溝１ｄ、１ｄが設けられている。そして、排水溝１ｄの下面は、起立壁１ｃ側からその反対側に向かうに連れて下方に進む傾斜面となっている。
【００２４】
排水具２は、図６に示すように、排水具本体３と、雨水等は通過するが小石等の固形物の通過を防止する吸出し防止材４（例えば、ポーラス状に成形された、不織布状の合成繊維製品）とを有している。排水具本体３は、例えば鋼板などからなる金属製であって、表面が互いに間隔、例えば、１５ｍｍ〜３ｍｍの範囲内の間隔、好ましくは９ｍｍ前後の間隔を空けて対向する対向片３ａ、３ａと、それら対向片３ａ、３ａを連結する連結部３ｂ、３ｂとを備える。そして、対向片３ａ、３ａ間を通るように、側溝ブロック１における側壁１ａの外面１ｅ側と内面１ｆ側と上面１ｇ側とが互いに連通する第１導水路Ｅ１が設けられる。この第１導水路Ｅ１の間隔幅の寸法は、前記対向片３ａ、３ａの間隔に相応して、例えば、１５ｍｍ〜３ｍｍの範囲内の寸法、好ましくは９ｍｍ前後の寸法からなる。後述する第２導水路Ｅ２の間隔幅の寸法についても、前記第１導水路Ｅ１の間隔幅の寸法と同様であるのが好ましいが、両者の寸法が異なっていても構わない。勿論、これら第１導水路Ｅ１および第２導水路Ｅ２の間隔幅の寸法は、前記数値に限定されるわけではない。そして、対向片３ａ、３ａ間に、前記第１導水路Ｅ１を形成するための、前記吸出し防止材４としての第１フィルターＦ１が挿入されている（図３、図４参照）。
【００２５】
詳細には、連結部３ｂ、３ｂは、前記対向片３ａ、３ａの、上下方向における中間部に設けられている。そして、連結部３ｂ、３ｂの上方に、側壁１ａの上面１ｇの幅寸法とほぼ同一の幅寸法からなる上面を備えた、前記第１フィルターＦ１が挿入され、そして、連結部３ｂ、３ｂの下方に、対向片３ａ、３ａに挟まれた空間Ｓが形成されている。また、各対向片３ａには、第１導水路Ｅ１の下方に、表裏を貫通する通孔３ｃ（例えば円形の通孔）が形成されている。
【００２６】
また、排水具本体３は、対向片３ａ、３ａの上端から互いに離れる方向に延設されて、側溝ブロック１における側壁１ａの上面１ｇとほぼ面一となる上部片３ｄ、３ｄと、それら上部片３ｄ、３ｄの先端から下方に延設される垂下片３ｅ、３ｅとを備えている。ここで、上部片３ｄは、側壁１ａの上面１ｇの幅寸法とほぼ同一の幅寸法を有している。そして、この上部片３ｄを含み、対向片３ａおよび垂下片３ｅの幅寸法は、一定の幅寸法となっている。また、垂下片３ｅに面して、すなわち隣接して、前記側壁１ａの外面１ｅ側と内面１ｆ側と上面１ｇ側とが互いに連通する第２導水路Ｅ２が設けられる。そして、垂下片３ｅには、前記第２導水路Ｅ２を形成するための、前記吸出し防止材４としての第２フィルターＦ２が設けられている（図３、図５参照）。詳細には、この第２フィルターＦ２は、側壁１ａの上面１ｇの幅寸法とほぼ同一の幅寸法からなる上面を備えており、例えば両面粘着テープにより、垂下片３ｅの外側の面に貼り付けられる。
【００２７】
そして、第１導水路Ｅ１の下面Ｕ１、さらには、第２導水路Ｅ２の下面Ｕ２は、側溝ブロック１における側壁１ａの外面１ｅ側から内面１ｆ側に向かうに連れて下方に進む傾斜面となっている。図示実施の形態においては、側溝ブロック１は、コンクリート打設により形成されて、そのコンクリートが、第１フィルターＦ１の下面Ｖ１や第２フィルターＦ２の下面Ｖ２に達して、前記第１導水路Ｅ１の下面Ｕ１や第２導水路Ｅ２の下面Ｕ２を形成するため、前記第１フィルターＦ１や第２フィルターＦ２の下面Ｖ１、Ｖ２は、側壁１ａの外面１ｅ側から内面１ｆ側に向かうに連れて下方に進む傾斜面となるよう形成されている。なお、第１フィルターＦ１および第２フィルターＦ２の一方の側面Ｍ、すなわち、側壁１ａの内面１ｆ側に配置される側面Ｍは、図７で明示するように、側溝ブロック１を成形する型枠５の抜き勾配に合わせた傾斜面となっている。
【００２８】
次に、以上の構成からなる側溝ブロック１および排水具２の作用効果について説明する。この側溝ブロック１および排水具２によると、表面が互いに間隔を空けて対向する対向片３ａ、３ａ間を通るように、第１導水路Ｅ１が設けられる（図２、図３参照）。この第１導水路Ｅ１は、図４に示すように、側溝ブロック１における側壁１ａの外面１ｅ側と内面１ｆ側と上面１ｇ側とが互いに連通した導水路であり、この第１導水路Ｅ１によって、側壁１ａの外面１ｅ側の雨水等とか、側壁１ａの上面１ｇ側の雨水等が、側溝ブロック１内に導かれる。このように、表面が互いに間隔を空けて対向する対向片３ａ、３ａという簡単な構造でありながら、その対向片３ａ、３ａ間を通るように設けられる第１導水路Ｅ１により、側壁１ａの外面１ｅ側の雨水等、すなわち地中に浸透した雨水等とか側溝ブロック１との際にできた窪みＲ１に溜まる雨水等のみならず、側壁１ａの上面１ｇ側の雨水等、すなわち路面Ｒ上を流れてくる雨水等を、側溝ブロック１内に排水することができる。そして、この第１導水路Ｅ１は、対向片３ａ、３ａ間に挿入された第１フィルターＦ１となる吸出し防止材４によって形成されており、側壁１ａの外面１ｅ側の道路舗装材とか路面Ｒ上の小石等の固形物が、側壁１ａの外面１ｅ側とか上面１ｇ側から第１導水路Ｅ１内に進入したり、その第１導水路Ｅ１を通って側溝ブロック１内に落下したりすることがない。
【００２９】
さらに、垂下片３ｅに隣接して、第２導水路Ｅ２が形成されている（図２、図３参照）。この第２導水路Ｅ２は、図５に示すように、第１導水路Ｅ１と同様にして、側溝ブロック１における側壁１ａの外面１ｅ側と内面１ｆ側と上面１ｇ側とが互いに連通した導水路であり、この第２導水路Ｅ２によっても、側壁１ａの外面１ｅ側の雨水等とか、側壁１ａの上面１ｇ側の雨水等が、側溝ブロック１内に導かれる。このように、第２導水路Ｅ２によっても、側壁１ａの外面１ｅ側の雨水等、すなわち地中に浸透した雨水等とか側溝ブロック１との際にできた窪みＲ１に溜まる雨水等のみならず、側壁１ａの上面１ｇ側の雨水等、すなわち路面Ｒ上を流れてくる雨水等を、側溝ブロック１内に排水することができる。そして、この第２導水路Ｅ２は、垂下片３ｅに設けられた第２フィルターＦ２となる吸出し防止材４によって形成されており、側壁１ａの外面１ｅ側の道路舗装材とか路面Ｒ上の小石等の固形物が、側壁１ａの外面１ｅ側とか上面１ｇ側から第２導水路Ｅ２内に進入したり、その第２導水路Ｅ２を通って側溝ブロック１内に落下したりすることがない。
【００３０】
また、排水具２が、側溝ブロック１の蓋掛かり段部１ｂの横の起立壁１ｃ部分に設けられることから、この排水具２を介して、側壁１ａの外面１ｅ側の雨水等とか、側壁１ａの上面１ｇ側の雨水等を、容易に側溝ブロック１内に導くことができる。そして、蓋掛かり段部１ｂには、第１導水路Ｅ１と対応する位置、および、第２導水路Ｅ２と対応する位置に、蓋掛かり段部１ｂを横切るようにして排水溝１ｄ、１ｄが設けられている。したがって、第１導水路Ｅ１あるいは第２導水路Ｅ２に進入した雨水等を、蓋掛かり段部１ｂに載せられる覆い材Ｗに遮られることなく、前記排水溝１ｄ、１ｄを通って側溝ブロック１内に導くことができる。
【００３１】
また、第１導水路Ｅ１の下面Ｕ１や第２導水路Ｅ２の下面Ｕ２は、側壁１ａの外面１ｅ側から内面１ｆ側に向かうに連れて下方に進む傾斜面となっている。したがって、側壁１ａの外面１ｅ側の雨水等とか、側壁１ａの上面１ｇ側の雨水等が、第１導水路Ｅ１に進入すると、その雨水等は、傾斜面となる下面Ｕ１、Ｕ２に沿うように下って、スムーズに側溝ブロック１内に導かれる。
【００３２】
その上、蓋掛かり段部１ｂに設けられた排水溝１ｄの下面は、起立壁１ｃ側からその反対側に向かうに連れて下方に進む傾斜面となっているので、排水溝１ｄに進入した雨水等は、傾斜面となる下面に沿うように下って、一層スムーズに側溝ブロック１内に導かれる。
【００３３】
また、排水具２における上部片３ｄ、３ｄと垂下片３ｅ、３ｅによって、側溝ブロック１が補強され、また、排水具２を側溝ブロック１に確実に固定することが可能となる。そして、排水具本体３における両対向片３ａ、３ａは、連結部３ｂによって連結されるので、これら対向片３ａ、３ａが一体化されて、この排水具２の取り扱いが容易となる。
【００３４】
また、図示実施の形態のように、側溝ブロック１がコンクリート製であって、そのコンクリート打設の際に、排水具２を埋め込むような場合には、連結部３ｂ、３ｂの下方に形成された空間Ｓに、型枠５側に設けた押え部品５ａ（図７参照）を挿入するとともにその押え部品５ａが連結部３ｂを押えるようにすれば、コンクリート打設時の排水具２の位置ずれを確実に防止することができる。図７は、この側溝ブロック１の型枠５の概要を示すものであり、側溝ブロック１は、上下が反転された状態で成形される。したがって、図７において、押え部品５ａは、連結部３ｂを上方から押えるようになっている。この押え部品５ａは、型枠５の側板５ｂに固定されており、この側板５ｂは、ヒンジ５ｃにより開閉可能となっている。しかも、図示実施の形態においては、打設されたコンクリートが、通孔３ｃ、３ｃを通って対向片３ａ、３ａ間に進入するので、この排水具２を側溝ブロック１に強固に取り付けることができる。なお、図中符号５ｄは、型枠５における底板、５ｅは、型枠５における中子である。
【００３５】
なお、本発明は、上述した実施の形態に限定されるわけではなく、その他種々の変更が可能である。例えば、排水具２は、側溝ブロック１の、蓋掛かり段部１ｂから起立する起立壁１ｃ部分に設けられているが、これら蓋掛かり段部１ｂおよび起立壁１ｃは、Ｕ字側溝ブロックに設けられるものは勿論、可変側溝ブロックとか暗渠型側溝ブロックに設けられるものであってもよい。すなわち、側溝ブロック１は、Ｕ字側溝ブロックに限定されるものではなく、可変側溝ブロックとか暗渠型側溝ブロック等であってもよい。さらには、排水具２は、側溝ブロック１の側壁１ａの上端部に設けられていれば、必ずしも起立壁１ｃ部分に設けられる必要はなく、例えば、可変側溝ブロックとか暗渠型側溝ブロックにおける、側壁と頂壁とのコーナー部に設けられてもよい。
【００３６】
また、排水具２は、側溝ブロック１の一方の側壁１ａのみならず、両方の側壁１ａ、１ａに設けられてもよく、また、一つの側壁１ａに複数個設けられてもよい。
【００３７】
また、排水具２は、側溝ブロック１を製造する際の、コンクリート打設によって埋め込まれなくとも、排水具２を備えない側溝ブロック（工場にストックされた側溝ブロックとか、現場に搬送された側溝ブロック、あるいは地中に配設された側溝ブロック等）の側壁１ａの上端部を切り欠き、そして、その切欠き部分に排水具２を配置して、その排水具２を、切欠き部分に詰めるモルタルやコンクリート等で埋め込むようにしてもよい。さらには、排水具２は、側溝ブロック１に埋め込まれなくとも、排水具２と、側溝ブロック１とを別々に製造し、その後に、排水具２を側溝ブロック１に取り付けるようにしてもよい。
【００３８】
また、排水具は、吸出し防止材４としての第１フィルターＦ１および第２フィルターＦ２を有しているが、これら第１フィルターＦ１および第２フィルターＦ２は、図８および図９に示すように、無くともよい。この場合、対向片３ａ、３ａ間を通るように設けられる第１導水路Ｅ１は、対向片３ａ、３ａ間に形成される空隙Ｓ１によって構成される。また、垂下片３ｅに隣接するように設けられる第２導水路Ｅ２は、垂下片３ｅと、その垂下片３ｅと間隔をおいて対面位置する、側壁１ａの上端部のコンクリート面Ｐとの間に形成される、空隙Ｓ２によって構成されることとなる。また、図示しないが、これら第１フィルターＦ１および第２フィルターＦ２のいずれか一方のみを無しにしてもよい。
【００３９】
また、排水具２における連結部３ｂは、対向片３ａ、３ａの、上下方向における中間部分以外、例えば、下部に設けられてもよく（例えば、図８、図９参照）、そして、その連結部３ｂは、対向片３ａ、３ａと別体成形されたものである必要はなく、一体成形されたものであっても構わない。勿論、前記連結部３ｂは、例えば、対向片３ａ、３ａの、上下方向における中間部分と下部とのそれぞれに設けられるように、複数箇所に設けられてもよい。
【００４０】
また、このように、排水具本体３は、両対向片３ａ、３ａを連結する連結部３ｂを備えているが、この連結部３ｂは、無くともよい。すなわち、各対向片３ａ（上部片３ｄおよび垂下片３ｅを含む）が、個々に、側溝ブロック１に、埋め込まれる等により取り付けられてもよい。
【００４１】
また、排水溝１ｄは、第１導水路Ｅ１および第２導水路Ｅ２のそれぞれと対応して、三ヵ所に分かれて設けられてるが、この排水溝１ｄは、第１および第２導水路Ｅ１、Ｅ２と対応する位置に設けられていれば、連続する一つの排水溝となっていてもよい。
【００４２】
また、排水具２は、第２導水路Ｅ２を備えているが、この第２導水路Ｅ２は、無くともよい。そして、排水具２は、その排水具本体３が、対向片３ａ、３ａ以外に、上部片３ｄ、３ｄと垂下片３ｅ、３ｅとを備えているが、これら上部片３ｄ、３ｄと垂下片３ｅ、３ｅは、無くともよい。また、排水具２は、その排水具本体３が、対向片３ａ、３ａ以外に、上部片３ｄ、３ｄを備えるも、垂下片３ｅ、３ｅについては備えないものであっても構わない。もっとも、上部片３ｄ、３ｄと垂下片３ｅ、３ｅの双方を省略する場合は、排水具２が側溝ブロック１に確実に固定されるように、対向片３ａ、３ａの内面側に、側壁１ａのコンクリートに食い込む係止部（アンカー部）を設けるのが好ましく、また、垂下片３ｅ、３ｅのみを省略する場合は、前記と同様の理由により、対向片３ａ、３ａおよび／または上部片３ｄ、３ｄの内面側に、側壁１ａのコンクリートに食い込む係止部（アンカー部）を設けるのが好ましい。
【００４３】
また、排水具２は、表面が互いに間隔を空けて対向する対向片３ａ、３ａを、一対のみ備えるものに限られることなく、複数対の対向片３ａ、３ａを備え、それに対応して、複数個の第１導水路Ｅ１、Ｅ１を形成するものであってもよい。
【００４４】
また、排水具２における対向片３ａには、通孔３ｃが形成されているが、この通孔３ｃは、対向片３ａの両方に形成されてもよく、一方のみに形成されてもよく、また、無くともよい。
【００４５】
【発明の効果】
以上、詳述したところから明らかなように、この発明に係る排水具およびその排水具を備える側溝ブロックによれば、次の効果がある。
【００４６】
請求項１に記載された排水具および、請求項１０に記載された排水具を備える側溝ブロックによれば、表面が互いに間隔を空けて対向する対向片という簡単な構造でありながら、その対向片間を通るように設けられる第１導水路により、側壁の外面側の雨水等、すなわち地中に浸透した雨水等とか側溝ブロックとの際にできた窪みに溜まる雨水等のみならず、側壁の上面側の雨水等、すなわち路面上を流れてくる雨水等を、側溝ブロック内に排水することができる。
【００４７】
また、請求項２に記載された排水具によれば、請求項１の効果に加えて、第１導水路が、対向片間に挿入された第１フィルターとなる吸出し防止材によって形成されているため、側壁の外面側の道路舗装材とか路面上の小石等の固形物が、側壁の外面側とか上面側から第１導水路内に進入したり、その第１導水路を通って側溝ブロック内に落下したりするのを防止することができる。
【００４８】
また、請求項３に記載された排水具によれば、請求項１または２の効果に加えて、両対向片が、連結部によって連結されて一体化されるので、この排水具の取り扱が容易となる。
【００４９】
また、請求項４に記載された排水具によれば、請求項２の効果に加えて、両対向片が、連結部によって連結されて一体化されるので、この排水具の取り扱が容易となる。その上、例えば、側溝ブロックがコンクリート製であって、そのコンクリート打設の際に、排水具を埋め込むような場合には、連結部の下方に形成された空間に、型枠側に設けた押え部品を挿入するとともにその押え部品が連結部を押えるようにすれば、この排水具の位置ずれを確実に防止することができる。
【００５０】
また、請求項５に記載された排水具によれば、請求項１ないし４のいずれか１項の効果に加えて、例えば、側溝ブロックがコンクリート製であって、そのコンクリート打設の際に、排水具を埋め込むような場合には、打設されたコンクリートが、通孔を通って対向片間に進入することで、この排水具を側溝ブロックに強固に取り付けることができる。
【００５１】
また、請求項６に記載された排水具によれば、請求項１ないし５のいずれか１項の効果に加えて、対向片から延設された上部片によって、側溝ブロックが補強される。
【００５２】
また、請求項７に記載された排水具によれば、請求項１ないし５のいずれか１項の効果に加えて、対向片から延設された上部片と垂下片によって、側溝ブロックが補強され、また、排水具を側溝ブロックに確実に固定することができる。
【００５３】
また、請求項８に記載された排水具によれば、請求項７の効果に加えて、垂下片に隣接して設けられる第２導水路によっても、側壁の外面側の雨水等、すなわち地中に浸透した雨水等とか側溝ブロックとの際にできた窪みに溜まる雨水等のみならず、側壁の上面側の雨水等、すなわち路面上を流れてくる雨水等を、側溝ブロック内に排水することができる。
【００５４】
また、請求項９に記載された排水具によれば、請求項８の効果に加えて、第２導水路が、垂下片に設けられた第２フィルターとなる吸出し防止材によって形成されているため、側壁の外面側の道路舗装材とか路面上の小石等の固形物が、側壁の外面側とか上面側から第２導水路内に進入したり、その第２導水路を通って側溝ブロック内に落下したりするのを防止することができる。
【００５５】
また、請求項１１に記載された排水具を備える側溝ブロックによれば、請求項１０の効果に加えて、第１導水路に進入した雨水等を、傾斜面となる下面に沿うように下らせて、スムーズに側溝ブロック内に導くことができる。
【００５６】
また、請求項１２に記載された排水具を備える側溝ブロックによれば、請求項１０または１１の効果に加えて、排水具が、側溝ブロックの蓋掛かり段部の横の起立壁部分に設けられることから、この排水具を介して、側壁の外面側の雨水等とか、側壁の上面側の雨水等を、容易に側溝ブロック内に導くことができる。
【００５７】
また、請求項１３に記載された排水具を備える側溝ブロックによれば、請求項１２の効果に加えて、第１導水路に進入した雨水等を、蓋掛かり段部に載せられる覆い材に遮られることなく、排水溝を通って側溝ブロック内に導くことができる。
【００５８】
また、請求項１４に記載された排水具を備える側溝ブロックによれば、請求項１３の効果に加えて、排水溝に進入した雨水等を、傾斜面となる下面に沿うように下らせて、スムーズに側溝ブロック内に導くことができる。
【図面の簡単な説明】
【図１】この発明に係る排水具およびその排水具を備える側溝ブロックの一実施の形態の、斜視図である。
【図２】同じく、図１における要部拡大図である。
【図３】同じく、図２におけるＡ矢視拡大図である。
【図４】同じく、図３におけるＢ−Ｂ線による断面図である。
【図５】同じく、図３におけるＣ−Ｃ線による断面図である。
【図６】同じく、排水具を示す斜視図である。
【図７】同じく、型枠構造を示す断面図である。
【図８】この発明に係る排水具およびその排水具を備える側溝ブロックの他の実施の形態の、図２相当図である。
【図９】同じく、図６相当図である。
【符号の説明】
１  側溝ブロック                  １ａ  側壁
１ｂ  蓋掛かり段部                １ｃ  起立壁
１ｄ  排水溝                      １ｅ  外面
１ｆ  内面                        １ｇ  上面
２  排水具                        ３  排水具本体
３ａ  対向片                      ３ｂ  連結部
３ｃ  通孔                        ３ｄ  上部片
３ｅ  垂下片                      ４  吸出し防止材
Ｅ１  第１導水路                  Ｅ２  第２導水路
Ｆ１  第１フィルター              Ｆ２  第２フィルター
Ｓ  空間
Ｕ１  下面                        Ｕ２  下面
Ｗ  覆い材
【図１】
2004156423.tif 000003
【図２】
2004156423.tif 000004
【図３】
2004156423.tif 000005
【図４】
2004156423.tif 000006
【図５】
2004156423.tif 000007
【図６】
2004156423.tif 000008
【図７】
2004156423.tif 000009
【図８】
2004156423.tif 000010
【図９】
2004156423.tif 000011
【手続補正書】
【提出日】平成15年6月13日(2003.6.13)
【手続補正１】
【補正対象書類名】明細書
【補正対象項目名】全文
【補正方法】変更
【補正の内容】
【特許請求の範囲】
【請求項１】側溝ブロックの側壁の上端部に設けられて、雨水等を前記側溝ブロック内に導くための排水具であって、
排水具本体を有し、
前記排水具本体は、表面が互いに間隔を空けて対向する対向片を備え、
前記対向片間を通るように、前記側壁の外面側と内面側と上面側とが互いに連通する第１導水路が設けられ、かつ、前記対向片間に、前記第１導水路を形成するための、雨水等は通過するが小石等の固形物の通過を防止する吸出し防止材としての第１フィルターが挿入され、また、
前記排水具本体は、前記対向片を連結する連結部を備え、
前記連結部は、前記対向片の、上下方向における中間部分に設けられて、その連結部の上方に前記第１フィルターが挿入され、そして、前記連結部の下方に、前記対向片に挟まれた空間が形成されていることを特徴とする排水具。
【請求項２】側溝ブロックの側壁の上端部に設けられて、雨水等を前記側溝ブロック内に導くための排水具であって、
排水具本体を有し、
前記排水具本体は、表面が互いに間隔を空けて対向する対向片を備え、
前記対向片間を通るように、前記側壁の外面側と内面側と上面側とが互いに連通する第１導水路が設けられ、
前記対向片には、前記第１導水路の下方に、表裏を貫通する通孔が形成されていることを特徴とする排水具。
【請求項３】側溝ブロックの側壁の上端部に設けられて、雨水等を前記側溝ブロック内に導くための排水具であって、
排水具本体を有し、
前記排水具本体は、表面が互いに間隔を空けて対向する対向片と、それら対向片の上端から互いに離れる方向に延設されて、前記側壁の上面とほぼ面一となる上部片とを備え、
前記対向片間を通るように、前記側壁の外面側と内面側と上面側とが互いに連通する第１導水路が設けられることを特徴とする排水具。
【請求項４】側溝ブロックの側壁の上端部に設けられて、雨水等を前記側溝ブロック内に導くための排水具であって、
排水具本体を有し、
前記排水具本体は、表面が互いに間隔を空けて対向する対向片と、それら対向片の上端から互いに離れる方向に延設されて、前記側壁の上面とほぼ面一となる上部片と、それら上部片の先端から下方に延設される垂下片とを備え、
前記対向片間を通るように、前記側壁の外面側と内面側と上面側とが互いに連通する第１導水路が設けられることを特徴とする排水具。
【請求項５】前記垂下片に隣接して、前記側壁の外面側と内面側と上面側とが互いに連通する第２導水路が設けられることを特徴とする請求項４に記載の排水具。
【請求項６】前記垂下片には、前記第２導水路を形成するための、雨水等は通過するが小石等の固形物の通過を防止する吸出し防止材としての第２フィルターが設けられていることを特徴とする請求項５に記載の排水具。
【請求項７】前記対向片間に、前記第１導水路を形成するための、雨水等は通過するが小石等の固形物の通過を防止する吸出し防止材としての第１フィルターが挿入されていることを特徴とする請求項２ないし６のいずれか１項に記載の排水具。
【請求項８】前記第１導水路は、前記対向片間に形成される空隙によって構成されることを特徴とする請求項２ないし６のいずれか１項に記載の排水具。
【請求項９】前記排水具本体は、前記対向片を連結する連結部を備えることを特徴とする請求項２ないし８のいずれか１項に記載の排水具。
【請求項１０】前記対向片は、表面が互いに、１５ｍｍ〜３ｍｍの範囲内の間隔を空けて対向することを特徴とする請求項１ないし９のいずれか１項に記載の排水具。
【請求項１１】請求項１ないし１０のいずれか１項に記載の排水具が、前記側壁の上端部に埋め込まれてなる、排水具を備える側溝ブロック。
【請求項１２】請求項５に記載の排水具が、前記側壁の上端部に埋め込まれてなり、前記第１導水路は、前記対向片間に形成される空隙によって構成され、また、前記第２導水路は、前記垂下片と、その垂下片と間隔をおいて対面位置する、前記側壁の上端部のコンクリート面との間に形成される空隙によって構成されてなる、排水具を備える側溝ブロック。
【請求項１３】前記第１導水路の下面は、前記側壁の外面側から内面側に向かうに連れて下方に進む傾斜面となっていることを特徴とする請求項１１または１２に記載の、排水具を備える側溝ブロック。
【請求項１４】前記側壁は、側溝蓋あるいはグレーチング等の覆い材が載せられる蓋掛かり段部と、その蓋掛かり段部から起立する起立壁とを備え、
前記排水具は、前記起立壁部分に設けられることを特徴とする請求項１１ないし１３のいずれか１項に記載の、排水具を備える側溝ブロック。
【発明の詳細な説明】
【０００１】
【発明の属する技術分野】
この発明は、雨水等を側溝ブロック内に導くための排水具およびその排水具を備える側溝ブロックに関するものである。
【０００２】
【従来の技術】
従来、側溝ブロックとの際に溜まった雨水を、その側溝ブロック内に排水するための排水具は、側溝ブロックの側壁に形成された、その外面から内面に連通する孔部または切欠部に装着されていた（例えば、特許文献１参照）。この排水具は、板状基壁を備え、この板状基壁の表裏面間には、地中水または側溝ブロック側壁に接する地表水を側溝ブロック内へと導水するための、導入孔（以下、接水導入孔と称する。）が設けられており、また、前記板状基壁の上部から延出される延設壁あるいは前記板状基壁の上側面には、地表水を側溝ブロック内へと導水するための、地表水導入孔が設けられていた。そして、道路の陥没等によって生じた、側溝ブロックに接する段差部分等の窪みに溜まった雨水等を、前記接水導入孔から、側溝ブロック内に導水していた。
【０００３】
【特許文献１】
特開平１１−２６９９６９号公報
【０００４】
【発明が解決しようとする課題】
ところが、前記従来の排水具においては、地表水導入孔と、接水導入孔とを、それぞれ異なる方向に、すなわち、地表水導入孔を上方に、また、接水導入孔を側方に、それぞれ開口させるため、地表水導入孔と接水導入孔とが、異なる方向に開口するように排水具を構成する必要があり、その構造が複雑となった。
【０００５】
この発明は、上記した従来の問題点を解決するためになされたものであり、その目的とするところは、簡易な構造でありながら、側溝ブロックとの際にできた窪みに溜まる雨水等のみならず、路面上を流れてくる雨水等を、側溝ブロック内に排水することができる排水具およびその排水具を備える側溝ブロックを提供することにある。
【０００６】
【課題を解決するための手段】
この発明に係る排水具およびその排水具を備える側溝ブロックは、前記目的を達成するために、次の構成からなる。すなわち、
請求項１に記載の発明に係る排水具は、側溝ブロックの側壁の上端部に設けられて、雨水等を前記側溝ブロック内に導くための排水具であって、排水具本体を有する。ここで、前記排水具本体は、表面が互いに間隔を空けて対向する対向片を備える。そして、前記対向片間を通るように、前記側壁の外面側と内面側と上面側とが互いに連通する第１導水路が設けられる。そこで、前記対向片間に、前記第１導水路を形成するための、雨水等は通過するが小石等の固形物の通過を防止する吸出し防止材としての第１フィルターが挿入される。また、前記排水具本体は、前記対向片を連結する連結部を備え、前記連結部は、前記対向片の、上下方向における中間部分に設けられて、その連結部の上方に前記第１フィルターが挿入され、そして、前記連結部の下方に、前記対向片に挟まれた空間が形成されている。
【０００７】
こうして、対向片間を通るように、第１導水路が設けられる。この第１導水路は、側溝ブロックにおける側壁の外面側と内面側と上面側とが互いに連通した導水路であり、この第１導水路によって、側壁の外面側の雨水等とか、側壁の上面側の雨水等が、側溝ブロック内に導かれる。
【０００８】
そして、第１導水路は、対向片間に挿入された第１フィルターとなる吸出し防止材によって形成されており、側壁の外面側の道路舗装材とか路面上の小石等の固形物が、側壁の外面側とか上面側から第１導水路内に進入したり、その第１導水路を通って側溝ブロック内に落下したりすることがない。
【０００９】
【００１０】
しかも、表面が互いに間隔を空けて対向する対向片が、連結部によって連結されるので、これら対向片が一体化され、この排水具の取り扱いが容易となる。そして、例えば、側溝ブロックがコンクリート製であって、そのコンクリート打設の際に、排水具を埋め込むような場合には、連結部の下方に形成された空間に、型枠側に設けた押え部品を挿入するとともにその押え部品が連結部を押えるようにすれば、この排水具の位置ずれが防止される。
【００１１】
また、請求項２に記載の発明に係る排水具は、側溝ブロックの側壁の上端部に設けられて、雨水等を前記側溝ブロック内に導くための排水具であって、排水具本体を有する。ここで、前記排水具本体は、表面が互いに間隔を空けて対向する対向片を備える。そして、前記対向片間を通るように、前記側壁の外面側と内面側と上面側とが互いに連通する第１導水路が設けられる。そこで、前記対向片には、前記第１導水路の下方に、表裏を貫通する通孔が形成されている。
こうして、対向片間を通るように、第１導水路が設けられる。この第１導水路は、側溝ブロックにおける側壁の外面側と内面側と上面側とが互いに連通した導水路であり、この第１導水路によって、側壁の外面側の雨水等とか、側壁の上面側の雨水等が、側溝ブロック内に導かれる。そして、対向片には、第１導水路の下方に通孔が形成されているため、例えば、側溝ブロックがコンクリート製であって、そのコンクリート打設の際に、排水具を埋め込むような場合には、打設されたコンクリートが、通孔を通って対向片間に進入することができる。
【００１２】
また、請求項３に記載の発明に係る排水具は、側溝ブロックの側壁の上端部に設けられて、雨水等を前記側溝ブロック内に導くための排水具であって、排水具本体を有する。ここで、前記排水具本体は、表面が互いに間隔を空けて対向する対向片と、それら対向片の上端から互いに離れる方向に延設されて、前記側壁の上面とほぼ面一となる上部片とを備える。そして、前記対向片間を通るように、前記側壁の外面側と内面側と上面側とが互いに連通する第１導水路が設けられる。
こうして、対向片間を通るように、第１導水路が設けられる。この第１導水路は、側溝ブロックにおける側壁の外面側と内面側と上面側とが互いに連通した導水路であり、この第１導水路によって、側壁の外面側の雨水等とか、側壁の上面側の雨水等が、側溝ブロック内に導かれる。そして、排水具本体は、上部片を備えており、この上部片によって、側溝ブロックが補強される。
【００１３】
また、請求項４に記載の発明に係る排水具は、側溝ブロックの側壁の上端部に設けられて、雨水等を前記側溝ブロック内に導くための排水具であって、排水具本体を有する。ここで、前記排水具本体は、表面が互いに間隔を空けて対向する対向片と、それら対向片の上端から互いに離れる方向に延設されて、前記側壁の上面とほぼ面一となる上部片と、それら上部片の先端から下方に延設される垂下片とを備える。そして、前記対向片間を通るように、前記側壁の外面側と内面側と上面側とが互いに連通する第１導水路が設けられる。
こうして、対向片間を通るように、第１導水路が設けられる。この第１導水路は、側溝ブロックにおける側壁の外面側と内面側と上面側とが互いに連通した導水路であり、この第１導水路によって、側壁の外面側の雨水等とか、側壁の上面側の雨水等が、側溝ブロック内に導かれる。そして、排水具本体は、上部片と垂下片とを備えており、これら上部片と垂下片によって、側溝ブロックが補強され、また、排水具を側溝ブロックに確実に固定することが可能となる。
【００１４】
また、請求項５に記載の発明に係る排水具のように、請求項４に記載の排水具において、前記垂下片に隣接して、前記側壁の外面側と内面側と上面側とが互いに連通する第２導水路が設けられてもよい。こうして、垂下片に隣接して、第２導水路が設けられる。この第２導水路は、第１導水路と同様に、側溝ブロックにおける側壁の外面側と内面側と上面側とが互いに連通した導水路であり、この第２導水路によって、側壁の外面側の雨水等とか、側壁の上面側の雨水等が、側溝ブロック内に導かれる。
【００１５】
また、請求項６に記載の発明に係る排水具のように、請求項５に記載の排水具において、前記垂下片には、前記第２導水路を形成するための、雨水等は通過するが小石等の固形物の通過を防止する吸出し防止材としての第２フィルターが設けられてもよい。このように、第２導水路は、垂下片に設けられた第２フィルターとなる吸出し防止材によって形成されており、側壁の外面側の道路舗装材とか路面上の小石等の固形物が、側壁の外面側とか上面側から第２導水路内に進入したり、その第２導水路を通って側溝ブロック内に落下したりすることがない。
また、請求項７に記載の発明に係る排水具のように、請求項２ないし６のいずれか１項に記載の排水具において、前記対向片間に、前記第１導水路を形成するための、雨水等は通過するが小石等の固形物の通過を防止する吸出し防止材としての第１フィルターが挿入されてもよい。このように、第１導水路は、対向片間に挿入された第１フィルターとなる吸出し防止材によって形成されており、側壁の外面側の道路舗装材とか路面上の小石等の固形物が、側壁の外面側とか上面側から第１導水路内に進入したり、その第１導水路を通って側溝ブロック内に落下したりすることがない。
また、請求項８に記載の発明に係る排水具のように、請求項２ないし６のいずれか１項に記載の排水具において、前記第１導水路は、前記対向片間に形成される空隙によって構成されてもよい。
また、請求項９に記載の発明に係る排水具のように、請求項２ないし８のいずれか１項に記載の排水具において、前記排水具本体は、前記対向片を連結する連結部を備えてもよい。これによれば、表面が互いに間隔を空けて対向する対向片が、連結部によって連結されるので、これら対向片が一体化され、この排水具の取り扱いが容易となる。
また、請求項１０に記載の発明に係る排水具のように、請求項１ないし９のいずれか１項に記載の排水具において、前記対向片は、表面が互いに、１５ｍｍ〜３ｍｍの範囲内の間隔を空けて対向してもよい。
【００１６】
また、請求項１１に記載の発明に係る排水具を備える側溝ブロックは、請求項１ないし１０のいずれか１項に記載の排水具が、前記側壁の上端部に埋め込まれてなる。
また、請求項１２に記載の発明に係る排水具を備える側溝ブロックは、請求項５に記載の排水具が、前記側壁の上端部に埋め込まれてなり、前記第１導水路は、前記対向片間に形成される空隙によって構成され、また、前記第２導水路は、前記垂下片と、その垂下片と間隔をおいて対面位置する、前記側壁の上端部のコンクリート面との間に形成される空隙によって構成される。
【００１７】
また、請求項１３に記載の発明に係る排水具を備える側溝ブロックのように、請求項１１または１２に記載の側溝ブロックにおいて、前記第１導水路の下面は、前記側壁の外面側から内面側に向かうに連れて下方に進む傾斜面となっているのが望ましい。これにより、側壁の外面側の雨水等とか、側壁の上面側の雨水等が、第１導水路に進入すると、その雨水等は、傾斜面となる下面に沿うように下って、スムーズに側溝ブロック内に導かれる。
【００１８】
また、請求項１４に記載の発明に係る排水具を備える側溝ブロックのように、請求項１１ないし１３のいずれか１項に記載の側溝ブロックにおいて、前記側壁は、側溝蓋あるいはグレーチング等の覆い材が載せられる蓋掛かり段部と、その蓋掛かり段部から起立する起立壁とを備え、前記排水具は、前記起立壁部分に設けられてもよい。このように、排水具が、側溝ブロックの蓋掛かり段部の横の起立壁部分に設けられることから、この排水具を介して、側壁の外面側の雨水等とか、側壁の上面側の雨水等が、容易に側溝ブロック内に導かれる。なお、この蓋掛かり段部および起立壁は、Ｕ字側溝ブロックに設けられるものは勿論、可変側溝ブロックとか暗渠型側溝ブロックに設けられるものであってもよい。
【００１９】
【００２０】
【００２１】
【発明の実施の形態】
以下、この発明に係る排水具およびその排水具を備える側溝ブロックの実施の形態を図面に基づいて説明する。
【００２２】
図１ないし図７は、本発明に係る排水具およびその排水具を備える側溝ブロックの一実施の形態を示す。図中符号１は、側溝ブロックである。２は、排水具であって、雨水等を前記側溝ブロック１内に導くために、側溝ブロック１の側壁１ａの上端部に設けられる（詳細には、側壁１ａの上端部に埋め込まれる）。
【００２３】
側溝ブロック１は、図１に示すように、例えば、コンクリート製のＵ字側溝ブロックからなり、その側壁１ａは、側溝蓋あるいはグレーチング等の覆い材Ｗが載せられる蓋掛かり段部１ｂ、１ｂと、それら蓋掛かり段部１ｂ、１ｂから起立する起立壁１ｃ、１ｃとを備える。そして、この起立壁１ｃ部分（図示実施の形態においては、起立壁１ｃからその起立壁１ｃの下部にかけての部位）に、排水具２が設けられる。また、蓋掛かり段部１ｂには、後述する第１導水路Ｅ１と対応する位置、および、第２導水路Ｅ２と対応する位置に、その蓋掛かり段部１ｂを横切るようにして排水溝１ｄ、１ｄが設けられている。そして、排水溝１ｄの下面は、起立壁１ｃ側からその反対側に向かうに連れて下方に進む傾斜面となっている。
【００２４】
排水具２は、図６に示すように、排水具本体３と、雨水等は通過するが小石等の固形物の通過を防止する吸出し防止材４（例えば、ポーラス状に成形された、不織布状の合成繊維製品）とを有している。排水具本体３は、例えば鋼板などからなる金属製であって、表面が互いに間隔、例えば、１５ｍｍ〜３ｍｍの範囲内の間隔、好ましくは９ｍｍ前後の間隔を空けて対向する対向片３ａ、３ａと、それら対向片３ａ、３ａを連結する連結部３ｂ、３ｂとを備える。そして、対向片３ａ、３ａ間を通るように、側溝ブロック１における側壁１ａの外面１ｅ側と内面１ｆ側と上面１ｇ側とが互いに連通する第１導水路Ｅ１が設けられる。この第１導水路Ｅ１の間隔幅の寸法は、前記対向片３ａ、３ａの間隔に相応して、例えば、１５ｍｍ〜３ｍｍの範囲内の寸法、好ましくは９ｍｍ前後の寸法からなる。後述する第２導水路Ｅ２の間隔幅の寸法についても、前記第１導水路Ｅ１の間隔幅の寸法と同様であるのが好ましいが、両者の寸法が異なっていても構わない。勿論、これら第１導水路Ｅ１および第２導水路Ｅ２の間隔幅の寸法は、前記数値に限定されるわけではない。そして、対向片３ａ、３ａ間に、前記第１導水路Ｅ１を形成するための、前記吸出し防止材４としての第１フィルターＦ１が挿入されている（図３、図４参照）。
【００２５】
詳細には、連結部３ｂ、３ｂは、前記対向片３ａ、３ａの、上下方向における中間部に設けられている。そして、連結部３ｂ、３ｂの上方に、側壁１ａの上面１ｇの幅寸法とほぼ同一の幅寸法からなる上面を備えた、前記第１フィルターＦ１が挿入され、そして、連結部３ｂ、３ｂの下方に、対向片３ａ、３ａに挟まれた空間Ｓが形成されている。また、各対向片３ａには、第１導水路Ｅ１の下方に、表裏を貫通する通孔３ｃ（例えば円形の通孔）が形成されている。
【００２６】
また、排水具本体３は、対向片３ａ、３ａの上端から互いに離れる方向に延設されて、側溝ブロック１における側壁１ａの上面１ｇとほぼ面一となる上部片３ｄ、３ｄと、それら上部片３ｄ、３ｄの先端から下方に延設される垂下片３ｅ、３ｅとを備えている。ここで、上部片３ｄは、側壁１ａの上面１ｇの幅寸法とほぼ同一の幅寸法を有している。そして、この上部片３ｄを含み、対向片３ａおよび垂下片３ｅの幅寸法は、一定の幅寸法となっている。また、垂下片３ｅに面して、すなわち隣接して、前記側壁１ａの外面１ｅ側と内面１ｆ側と上面１ｇ側とが互いに連通する第２導水路Ｅ２が設けられる。そして、垂下片３ｅには、前記第２導水路Ｅ２を形成するための、前記吸出し防止材４としての第２フィルターＦ２が設けられている（図３、図５参照）。詳細には、この第２フィルターＦ２は、側壁１ａの上面１ｇの幅寸法とほぼ同一の幅寸法からなる上面を備えており、例えば両面粘着テープにより、垂下片３ｅの外側の面に貼り付けられる。
【００２７】
そして、第１導水路Ｅ１の下面Ｕ１、さらには、第２導水路Ｅ２の下面Ｕ２は、側溝ブロック１における側壁１ａの外面１ｅ側から内面１ｆ側に向かうに連れて下方に進む傾斜面となっている。図示実施の形態においては、側溝ブロック１は、コンクリート打設により形成されて、そのコンクリートが、第１フィルターＦ１の下面Ｖ１や第２フィルターＦ２の下面Ｖ２に達して、前記第１導水路Ｅ１の下面Ｕ１や第２導水路Ｅ２の下面Ｕ２を形成するため、前記第１フィルターＦ１や第２フィルターＦ２の下面Ｖ１、Ｖ２は、側壁１ａの外面１ｅ側から内面１ｆ側に向かうに連れて下方に進む傾斜面となるよう形成されている。なお、第１フィルターＦ１および第２フィルターＦ２の一方の側面Ｍ、すなわち、側壁１ａの内面１ｆ側に配置される側面Ｍは、図７で明示するように、側溝ブロック１を成形する型枠５の抜き勾配に合わせた傾斜面となっている。
【００２８】
次に、以上の構成からなる側溝ブロック１および排水具２の作用効果について説明する。この側溝ブロック１および排水具２によると、表面が互いに間隔を空けて対向する対向片３ａ、３ａ間を通るように、第１導水路Ｅ１が設けられる（図２、図３参照）。この第１導水路Ｅ１は、図４に示すように、側溝ブロック１における側壁１ａの外面１ｅ側と内面１ｆ側と上面１ｇ側とが互いに連通した導水路であり、この第１導水路Ｅ１によって、側壁１ａの外面１ｅ側の雨水等とか、側壁１ａの上面１ｇ側の雨水等が、側溝ブロック１内に導かれる。このように、表面が互いに間隔を空けて対向する対向片３ａ、３ａという簡単な構造でありながら、その対向片３ａ、３ａ間を通るように設けられる第１導水路Ｅ１により、側壁１ａの外面１ｅ側の雨水等、すなわち地中に浸透した雨水等とか側溝ブロック１との際にできた窪みＲ１に溜まる雨水等のみならず、側壁１ａの上面１ｇ側の雨水等、すなわち路面Ｒ上を流れてくる雨水等を、側溝ブロック１内に排水することができる。そして、この第１導水路Ｅ１は、対向片３ａ、３ａ間に挿入された第１フィルターＦ１となる吸出し防止材４によって形成されており、側壁１ａの外面１ｅ側の道路舗装材とか路面Ｒ上の小石等の固形物が、側壁１ａの外面１ｅ側とか上面１ｇ側から第１導水路Ｅ１内に進入したり、その第１導水路Ｅ１を通って側溝ブロック１内に落下したりすることがない。
【００２９】
さらに、垂下片３ｅに隣接して、第２導水路Ｅ２が形成されている（図２、図３参照）。この第２導水路Ｅ２は、図５に示すように、第１導水路Ｅ１と同様にして、側溝ブロック１における側壁１ａの外面１ｅ側と内面１ｆ側と上面１ｇ側とが互いに連通した導水路であり、この第２導水路Ｅ２によっても、側壁１ａの外面１ｅ側の雨水等とか、側壁１ａの上面１ｇ側の雨水等が、側溝ブロック１内に導かれる。このように、第２導水路Ｅ２によっても、側壁１ａの外面１ｅ側の雨水等、すなわち地中に浸透した雨水等とか側溝ブロック１との際にできた窪みＲ１に溜まる雨水等のみならず、側壁１ａの上面１ｇ側の雨水等、すなわち路面Ｒ上を流れてくる雨水等を、側溝ブロック１内に排水することができる。そして、この第２導水路Ｅ２は、垂下片３ｅに設けられた第２フィルターＦ２となる吸出し防止材４によって形成されており、側壁１ａの外面１ｅ側の道路舗装材とか路面Ｒ上の小石等の固形物が、側壁１ａの外面１ｅ側とか上面１ｇ側から第２導水路Ｅ２内に進入したり、その第２導水路Ｅ２を通って側溝ブロック１内に落下したりすることがない。
【００３０】
また、排水具２が、側溝ブロック１の蓋掛かり段部１ｂの横の起立壁１ｃ部分に設けられることから、この排水具２を介して、側壁１ａの外面１ｅ側の雨水等とか、側壁１ａの上面１ｇ側の雨水等を、容易に側溝ブロック１内に導くことができる。そして、蓋掛かり段部１ｂには、第１導水路Ｅ１と対応する位置、および、第２導水路Ｅ２と対応する位置に、蓋掛かり段部１ｂを横切るようにして排水溝１ｄ、１ｄが設けられている。したがって、第１導水路Ｅ１あるいは第２導水路Ｅ２に進入した雨水等を、蓋掛かり段部１ｂに載せられる覆い材Ｗに遮られることなく、前記排水溝１ｄ、１ｄを通って側溝ブロック１内に導くことができる。
【００３１】
また、第１導水路Ｅ１の下面Ｕ１や第２導水路Ｅ２の下面Ｕ２は、側壁１ａの外面１ｅ側から内面１ｆ側に向かうに連れて下方に進む傾斜面となっている。したがって、側壁１ａの外面１ｅ側の雨水等とか、側壁１ａの上面１ｇ側の雨水等が、第１導水路Ｅ１に進入すると、その雨水等は、傾斜面となる下面Ｕ１、Ｕ２に沿うように下って、スムーズに側溝ブロック１内に導かれる。
【００３２】
その上、蓋掛かり段部１ｂに設けられた排水溝１ｄの下面は、起立壁１ｃ側からその反対側に向かうに連れて下方に進む傾斜面となっているので、排水溝１ｄに進入した雨水等は、傾斜面となる下面に沿うように下って、一層スムーズに側溝ブロック１内に導かれる。
【００３３】
また、排水具２における上部片３ｄ、３ｄと垂下片３ｅ、３ｅによって、側溝ブロック１が補強され、また、排水具２を側溝ブロック１に確実に固定することが可能となる。そして、排水具本体３における両対向片３ａ、３ａは、連結部３ｂによって連結されるので、これら対向片３ａ、３ａが一体化されて、この排水具２の取り扱いが容易となる。
【００３４】
また、図示実施の形態のように、側溝ブロック１がコンクリート製であって、そのコンクリート打設の際に、排水具２を埋め込むような場合には、連結部３ｂ、３ｂの下方に形成された空間Ｓに、型枠５側に設けた押え部品５ａ（図７参照）を挿入するとともにその押え部品５ａが連結部３ｂを押えるようにすれば、コンクリート打設時の排水具２の位置ずれを確実に防止することができる。図７は、この側溝ブロック１の型枠５の概要を示すものであり、側溝ブロック１は、上下が反転された状態で成形される。したがって、図７において、押え部品５ａは、連結部３ｂを上方から押えるようになっている。この押え部品５ａは、型枠５の側板５ｂに固定されており、この側板５ｂは、ヒンジ５ｃにより開閉可能となっている。しかも、図示実施の形態においては、打設されたコンクリートが、通孔３ｃ、３ｃを通って対向片３ａ、３ａ間に進入するので、この排水具２を側溝ブロック１に強固に取り付けることができる。なお、図中符号５ｄは、型枠５における底板、５ｅは、型枠５における中子である。
【００３５】
なお、本発明は、上述した実施の形態に限定されるわけではなく、その他種々の変更が可能である。例えば、排水具２は、側溝ブロック１の、蓋掛かり段部１ｂから起立する起立壁１ｃ部分に設けられているが、これら蓋掛かり段部１ｂおよび起立壁１ｃは、Ｕ字側溝ブロックに設けられるものは勿論、可変側溝ブロックとか暗渠型側溝ブロックに設けられるものであってもよい。すなわち、側溝ブロック１は、Ｕ字側溝ブロックに限定されるものではなく、可変側溝ブロックとか暗渠型側溝ブロック等であってもよい。さらには、排水具２は、側溝ブロック１の側壁１ａの上端部に設けられていれば、必ずしも起立壁１ｃ部分に設けられる必要はなく、例えば、可変側溝ブロックとか暗渠型側溝ブロックにおける、側壁と頂壁とのコーナー部に設けられてもよい。
【００３６】
また、排水具２は、側溝ブロック１の一方の側壁１ａのみならず、両方の側壁１ａ、１ａに設けられてもよく、また、一つの側壁１ａに複数個設けられてもよい。
【００３７】
また、排水具２は、側溝ブロック１を製造する際の、コンクリート打設によって埋め込まれなくとも、排水具２を備えない側溝ブロック（工場にストックされた側溝ブロックとか、現場に搬送された側溝ブロック、あるいは地中に配設された側溝ブロック等）の側壁１ａの上端部を切り欠き、そして、その切欠き部分に排水具２を配置して、その排水具２を、切欠き部分に詰めるモルタルやコンクリート等で埋め込むようにしてもよい。さらには、排水具２は、側溝ブロック１に埋め込まれなくとも、排水具２と、側溝ブロック１とを別々に製造し、その後に、排水具２を側溝ブロック１に取り付けるようにしてもよい。
【００３８】
また、排水具は、吸出し防止材４としての第１フィルターＦ１および第２フィルターＦ２を有しているが、これら第１フィルターＦ１および第２フィルターＦ２は、図８および図９に示すように、無くともよい。この場合、対向片３ａ、３ａ間を通るように設けられる第１導水路Ｅ１は、対向片３ａ、３ａ間に形成される空隙Ｓ１によって構成される。また、垂下片３ｅに隣接するように設けられる第２導水路Ｅ２は、垂下片３ｅと、その垂下片３ｅと間隔をおいて対面位置する、側壁１ａの上端部のコンクリート面Ｐとの間に形成される、空隙Ｓ２によって構成されることとなる。また、図示しないが、これら第１フィルターＦ１および第２フィルターＦ２のいずれか一方のみを無しにしてもよい。
【００３９】
また、排水具２における連結部３ｂは、対向片３ａ、３ａの、上下方向における中間部分以外、例えば、下部に設けられてもよく（例えば、図８、図９参照）、そして、その連結部３ｂは、対向片３ａ、３ａと別体成形されたものである必要はなく、一体成形されたものであっても構わない。勿論、前記連結部３ｂは、例えば、対向片３ａ、３ａの、上下方向における中間部分と下部とのそれぞれに設けられるように、複数箇所に設けられてもよい。
【００４０】
また、このように、排水具本体３は、両対向片３ａ、３ａを連結する連結部３ｂを備えているが、この連結部３ｂは、無くともよい。すなわち、各対向片３ａ（上部片３ｄおよび垂下片３ｅを含む）が、個々に、側溝ブロック１に、埋め込まれる等により取り付けられてもよい。
【００４１】
また、排水溝１ｄは、第１導水路Ｅ１および第２導水路Ｅ２のそれぞれと対応して、三ヵ所に分かれて設けられてるが、この排水溝１ｄは、第１および第２導水路Ｅ１、Ｅ２と対応する位置に設けられていれば、連続する一つの排水溝となっていてもよい。
【００４２】
また、排水具２は、第２導水路Ｅ２を備えているが、この第２導水路Ｅ２は、無くともよい。そして、排水具２は、その排水具本体３が、対向片３ａ、３ａ以外に、上部片３ｄ、３ｄと垂下片３ｅ、３ｅとを備えているが、これら上部片３ｄ、３ｄと垂下片３ｅ、３ｅは、無くともよい。また、排水具２は、その排水具本体３が、対向片３ａ、３ａ以外に、上部片３ｄ、３ｄを備えるも、垂下片３ｅ、３ｅについては備えないものであっても構わない。もっとも、上部片３ｄ、３ｄと垂下片３ｅ、３ｅの双方を省略する場合は、排水具２が側溝ブロック１に確実に固定されるように、対向片３ａ、３ａの内面側に、側壁１ａのコンクリートに食い込む係止部（アンカー部）を設けるのが好ましく、また、垂下片３ｅ、３ｅのみを省略する場合は、前記と同様の理由により、対向片３ａ、３ａおよび／または上部片３ｄ、３ｄの内面側に、側壁１ａのコンクリートに食い込む係止部（アンカー部）を設けるのが好ましい。
【００４３】
また、排水具２は、表面が互いに間隔を空けて対向する対向片３ａ、３ａを、一対のみ備えるものに限られることなく、複数対の対向片３ａ、３ａを備え、それに対応して、複数個の第１導水路Ｅ１、Ｅ１を形成するものであってもよい。
【００４４】
また、排水具２における対向片３ａには、通孔３ｃが形成されているが、この通孔３ｃは、対向片３ａの両方に形成されてもよく、一方のみに形成されてもよく、また、無くともよい。
【００４５】
【発明の効果】
以上、詳述したところから明らかなように、この発明に係る排水具およびその排水具を備える側溝ブロックによれば、次の効果がある。
【００４６】
請求項１に記載された排水具によれば、表面が互いに間隔を空けて対向する対向片という簡単な構造でありながら、その対向片間を通るように設けられる第１導水路により、側壁の外面側の雨水等、すなわち地中に浸透した雨水等とか側溝ブロックとの際にできた窪みに溜まる雨水等のみならず、側壁の上面側の雨水等、すなわち路面上を流れてくる雨水等を、側溝ブロック内に排水することができる。
【００４７】
そして、第１導水路が、対向片間に挿入された第１フィルターとなる吸出し防止材によって形成されているため、側壁の外面側の道路舗装材とか路面上の小石等の固形物が、側壁の外面側とか上面側から第１導水路内に進入したり、その第１導水路を通って側溝ブロック内に落下したりするのを防止することができる。
【００４８】
【００４９】
しかも、両対向片が、連結部によって連結されて一体化されるので、この排水具の取り扱が容易となる。その上、例えば、側溝ブロックがコンクリート製であって、そのコンクリート打設の際に、排水具を埋め込むような場合には、連結部の下方に形成された空間に、型枠側に設けた押え部品を挿入するとともにその押え部品が連結部を押えるようにすれば、この排水具の位置ずれを確実に防止することができる。
【００５０】
また、請求項２に記載された排水具によれば、表面が互いに間隔を空けて対向する対向片という簡単な構造でありながら、その対向片間を通るように設けられる第１導水路により、側壁の外面側の雨水等、すなわち地中に浸透した雨水等とか側溝ブロックとの際にできた窪みに溜まる雨水等のみならず、側壁の上面側の雨水等、すなわち路面上を流れてくる雨水等を、側溝ブロック内に排水することができる。そして、例えば、側溝ブロックがコンクリート製であって、そのコンクリート打設の際に、排水具を埋め込むような場合には、打設されたコンクリートが、通孔を通って対向片間に進入することで、この排水具を側溝ブロックに強固に取り付けることができる。
【００５１】
また、請求項３に記載された排水具によれば、表面が互いに間隔を空けて対向する対向片という簡単な構造でありながら、その対向片間を通るように設けられる第１導水路により、側壁の外面側の雨水等、すなわち地中に浸透した雨水等とか側溝ブロックとの際にできた窪みに溜まる雨水等のみならず、側壁の上面側の雨水等、すなわち路面上を流れてくる雨水等を、側溝ブロック内に排水することができる。そして、対向片から延設された上部片によって、側溝ブロックが補強される。
【００５２】
また、請求項４に記載された排水具によれば、表面が互いに間隔を空けて対向する対向片という簡単な構造でありながら、その対向片間を通るように設けられる第１導水路により、側壁の外面側の雨水等、すなわち地中に浸透した雨水等とか側溝ブロックとの際にできた窪みに溜まる雨水等のみならず、側壁の上面側の雨水等、すなわち路面上を流れてくる雨水等を、側溝ブロック内に排水することができる。そして、対向片から延設された上部片と垂下片によって、側溝ブロックが補強され、また、排水具を側溝ブロックに確実に固定することができる。
【００５３】
また、請求項５に記載された排水具によれば、請求項４の効果に加えて、垂下片に隣接して設けられる第２導水路によっても、側壁の外面側の雨水等、すなわち地中に浸透した雨水等とか側溝ブロックとの際にできた窪みに溜まる雨水等のみならず、側壁の上面側の雨水等、すなわち路面上を流れてくる雨水等を、側溝ブロック内に排水することができる。
【００５４】
また、請求項６に記載された排水具によれば、請求項５の効果に加えて、第２導水路が、垂下片に設けられた第２フィルターとなる吸出し防止材によって形成されているため、側壁の外面側の道路舗装材とか路面上の小石等の固形物が、側壁の外面側とか上面側から第２導水路内に進入したり、その第２導水路を通って側溝ブロック内に落下したりするのを防止することができる。
また、請求項７に記載された排水具によれば、請求項２ないし６のいずれか１項の効果に加えて、第１導水路が、対向片間に挿入された第１フィルターとなる吸出し防止材によって形成されているため、側壁の外面側の道路舗装材とか路面上の小石等の固形物が、側壁の外面側とか上面側から第１導水路内に進入したり、その第１導水路を通って側溝ブロック内に落下したりするのを防止することができる。
また、請求項８に記載された排水具によれば、請求項２ないし６のいずれか１項の効果を奏する。
また、請求項９に記載された排水具によれば、請求項２ないし８のいずれか１項の効果に加えて、両対向片が、連結部によって連結されて一体化されるので、この排水具の取り扱いが容易となる。
また、請求項１０に記載された排水具によれば、請求項１ないし９のいずれか１項の効果を奏する。
【００５５】
また、請求項１１に記載された排水具を備える側溝ブロックによれば、請求項１ないし１０のいずれか１項の効果を奏する。
また、請求項１２に記載された排水具を備える側溝ブロックによれば、請求項５の効果を奏する。
また、請求項１３に記載された排水具を備える側溝ブロックによれば、請求項１１または１２の効果に加えて、第１導水路に進入した雨水等を、傾斜面となる下面に沿うように下らせて、スムーズに側溝ブロック内に導くことができる。
【００５６】
また、請求項１４に記載された排水具を備える側溝ブロックによれば、請求項１１ないし１３のいずれか１項の効果に加えて、排水具が、側溝ブロックの蓋掛かり段部の横の起立壁部分に設けられることから、この排水具を介して、側壁の外面側の雨水等とか、側壁の上面側の雨水等を、容易に側溝ブロック内に導くことができる。
【００５７】
【００５８】
【図面の簡単な説明】
【図１】この発明に係る排水具およびその排水具を備える側溝ブロックの一実施の形態の、斜視図である。
【図２】同じく、図１における要部拡大図である。
【図３】同じく、図２におけるＡ矢視拡大図である。
【図４】同じく、図３におけるＢ−Ｂ線による断面図である。
【図５】同じく、図３におけるＣ−Ｃ線による断面図である。
【図６】同じく、排水具を示す斜視図である。
【図７】同じく、型枠構造を示す断面図である。
【図８】この発明に係る排水具およびその排水具を備える側溝ブロックの他の実施の形態の、図２相当図である。
【図９】同じく、図６相当図である。
【符号の説明】
１  側溝ブロック                  １ａ  側壁
１ｂ  蓋掛かり段部                １ｃ  起立壁
１ｄ  排水溝                      １ｅ  外面
１ｆ  内面                        １ｇ  上面
２  排水具                        ３  排水具本体
３ａ  対向片                      ３ｂ  連結部
３ｃ  通孔                        ３ｄ  上部片
３ｅ  垂下片                      ４  吸出し防止材
Ｅ１  第１導水路                  Ｅ２  第２導水路
Ｆ１  第１フィルター              Ｆ２  第２フィルター
Ｓ  空間
Ｓ１  空隙 Ｓ２  空隙
Ｕ１  下面                        Ｕ２  下面
Ｗ  覆い材